(57)【要約】【課題】  簡単に取付及び扉の開閉操作が可能で、地震等の振動では扉は簡単に開く事のない、軽量、且つ、安全、安価な収納庫用自動式扉ストッパーを開発・提供する事にある。【解決手段】  ストッパー中下にガイドピンを嵌着し、該切替レバー中央部に左上部から右下部又は左下部から右上部に向けて傾斜し、且つ、両端局部を水平に形成したガイド溝を設け、且つ、該基板中央左右に取付用穴とガイド板と左上端部に捻りコイル伸縮式バネ係止部と右上端部にバネ係止部を設け、且つ、該捻りコイル伸縮式バネの一端を基板左上端部に設けたバネ係止部に、他端を切替レバー中央下部に設けた捻りコイル伸縮式バネ係止部に係止し、且つ、該切替レバーを左方向に移動させ、固定ピン部を遥動開閉式固定金具の係止溝部によって固定する事で開扉状態を保持し、且つ、該遥動開閉式固定金具の固定を解除するとコイル伸縮式バネが伸長し切替レバーが基の閉扉状態に復帰する。【選択図】  図１
0003109213.tif 000002
【実用新案登録請求の範囲】
【請求項１】
収納庫等の観音開き型扉用ストッパーであって、該観音開き型扉用ストッパーは、中央左右に取り付け用穴（１ａ）とストッパー（２）をガイドする一対のガイド板（１ｂ）を設け、且つ、左上端部に捻りコイル伸縮式バネ係止部（１ｃ）と右上端部に復帰用バネ係止部（１ｄ）を設けた基板（１）と、中央下部にガイドピン（２ａ）を嵌着したストッパー（２）と、中央部に左上部から右下部又は左下部から右上部に向けて傾斜し、且つ、左右両端局部を水平に形成したガイド溝（３ａ）を設け、且つ、中央下部に捻りコイル伸縮式バネ係止部（３ｂ）を設けた左右移動式切り替えレバー（３）と、基板の右ほぼ中央部に軸着した復帰用バネ（ＳＰ２）付遥動開閉式固定金具（５）と、基板の左上端係止部（１ｃ）と左右移動式切り替えレバー中央下係止部（３ｂ）に係止した捻りコイル伸縮式バネ（ＳＰ１）と、基板と同位置に取り付け穴（４ａ）を設けたカバー（４）から成り、且つ、該観音開き型扉用ストッパーの取り付けは、収納庫本体（Ｓ’）側の扉中央部にストッパー（２）の取り付け方向が扉（Ｓ）側に位置する様に設け、且つ、観音開き型扉用ストッパーの開閉は、左右移動式切り替えレバー（３）を左方向に移動させ、固定ピン部（３ｃ）を遥動開閉式固定金具（５）の係止溝部（５ｃ）によって固定する事で開扉状態を保持し、且つ、該遥動開閉式固定金具（５）の固定を解除すると捻りコイル伸縮式バネ（ＳＰ１）が伸長し左右移動式切り替えレバー（３）が基の閉扉状態に復帰する事を特徴とする収納庫用自動式扉ストッパー。
【考案の詳細な説明】
【技術分野】
【０００１】
この考案は、収納庫用自動式扉ストッパーに関するものである。
【背景技術】
【０００２】
従来、収納庫等、観音開き型扉の止め金具は様々であるが、主にマグネット着脱型止め金具や、凸凹勘合型止め金具等を使用して簡単に開閉可能なものが多く、取り扱う上では非常に楽で好評であった。
【０００３】
しかし、簡単に開閉可能なものは、反面、地震等の振動の影響により、棚の中の物が動いて扉が簡単に開いて、中の物が落下するという危険性を持ち合わせている。従って、これからは簡単に扉が開閉出来て、且つ、地震等の振動に対しても強固で、安全な収納庫用自動式扉ストッパーの開発が望まれている。
【０００４】
そこで、これまでに出願されている扉ストッパーの特許文献を紹介する。（特許文献１〜２参照。）
【特許文献１】特開平９−１２１９６４
【特許文献２】特開２００３−０９５５６４
【０００５】
上記特許文献は、何れもドア用の扉ストッパーであって、収納庫等観音開き型扉用のストッパーは、現時点では公開されていない。
【考案の開示】
【考案が解決しようとする課題】
【０００６】
そこで、この考案は誰でも簡単に取り付け及び扉の開閉操作が可能で、且つ、地震等の振動では扉は簡単に開く事のない、軽量、且つ、安全で、しかも安価な収納庫用自動式扉ストッパーを開発・提供する事にある。
【課題を解決するための手段】
【０００７】
そこで、この考案は、上記課題を解決する為、観音開き型扉用ストッパーは、中央左右に取り付け用穴とストッパーをガイドする一対のガイド板を設け、且つ、左上端部に捻りコイル伸縮式バネ係止部と右上端部に復帰用バネ係止部を設けた基板と、中央下部にガイドピンを嵌着したストッパーと、中央部に左上部から右下部又は左下部から右上部に向けて傾斜し、且つ、左右両端局部を水平に形成したガイド溝を設け、且つ、中央下部に捻りコイル伸縮式バネ係止部を設けた左右移動式切り替えレバーと、基板の右ほぼ中央部に軸着した復帰用バネ付遥動開閉式固定金具と、基板の左上端係止部と左右移動式切り替えレバー中央下係止部に係止した捻りコイル伸縮式バネと、基板と同位置に取り付け穴を設けたカバーから成り、且つ、該観音開き型扉用ストッパーの取り付けは、収納庫本体側の扉中央部にストッパーの取り付け方向が扉側に位置する様に設け、且つ、観音開き型扉用ストッパーの開閉は、左右移動式切り替えレバーを左方向に移動させ、固定ピン部を遥動開閉式固定金具の係止溝部によって固定する事で開扉状態を保持し、且つ、該遥動開閉式固定金具の固定を解除すると捻りコイル伸縮式バネが伸長し左右移動式切り替えレバーが基の閉扉状態に復帰するものである。
【考案の効果】
【０００８】
この考案の効果として、観音開き型扉用ストッパーは、中央左右に取り付け用穴とストッパーをガイドする一対のガイド板を設け、且つ、左上端部に捻りコイル伸縮式バネ係止部と右上端部に復帰用バネ係止部を設けた基板と、中央下部にガイドピンを嵌着したストッパーと、中央部に左上部から右下部又は左下部から右上部に向けて傾斜し、且つ、左右両端局部を水平に形成したガイド溝を設け、且つ、中央下部に捻りコイル伸縮式バネ係止部を設けた左右移動式切り替えレバーと、基板の右ほぼ中央部に軸着した復帰用バネ付遥動開閉式固定金具と、基板の左上端係止部と左右移動式切り替えレバー中央下係止部に係止した捻りコイル伸縮式バネと、基板と同位置に取り付け穴を設けたカバーから成り、且つ、該観音開き型扉用ストッパーの取り付けは、収納庫本体側の扉中央部にストッパーの取り付け方向が扉側に位置する様に設け、且つ、観音開き型扉用ストッパーの開閉は、左右移動式切り替えレバーを左方向に移動させ、固定ピン部を遥動開閉式固定金具の係止溝部によって固定する事で開扉状態を保持し、且つ、該遥動開閉式固定金具の固定を解除すると捻りコイル伸縮式バネが伸長し左右移動式切り替えレバーが基の閉扉状態に復帰する事で、地震等の振動では簡単に扉が開く事はなく、且つ、通常の開閉操作は誰でも簡単に片手で使用可能である。
【０００９】
又、構造が簡単で故障し難く、取り付け方法も上下逆方向でも取り付け可能な為、使用状況や使用目的に応じて適宜変更可能で、しかも、安価である等極めて有益なる効果を奏するものである。
【考案を実施するための最良の形態】
【００１０】
この考案の最良の形態として、収納庫用自動式扉ストッパーの取り付け位置は状況に応じて左右扉中央部の上下部どちらでも取り付け可能であるが、施工性・操作性・安全性を考慮した場合、下部側に取り付けた方がより望ましい。
【実施例１】
【００１１】
そこで、この考案の一実施例を図１〜図３に基づいて詳述すると、収納庫等の観音開き型扉用ストッパーであって、該観音開き型扉用ストッパーは、中央左右に取り付け用穴（１ａ）とストッパー（２）をガイドする一対のガイド板（１ｂ）を設け、且つ、左上端部に捻りコイル伸縮式バネ係止部（１ｃ）と右上端部に復帰用バネ係止部（１ｄ）を設けた基板（１）と、中央下部にガイドピン（２ａ）を嵌着したストッパー（２）と、中央部に左上部から右下部又は左下部から右上部に向けて傾斜し、且つ、左右両端局部を水平に形成したガイド溝（３ａ）を設け、且つ、中央下部に捻りコイル伸縮式バネ係止部（３ｂ）を設けた左右移動式切り替えレバー（３）と、基板の右ほぼ中央部に軸着した復帰用バネ（ＳＰ２）付遥動開閉式固定金具（５）と、基板の左上端係止部（１ｃ）と左右移動式切り替えレバー中央下係止部（３ｂ）に係止した捻りコイル伸縮式バネ（ＳＰ１）と、基板と同位置に取り付け穴（４ａ）を設けたカバー（４）から成り、且つ、該観音開き型扉用ストッパーの取り付けは、収納庫本体（Ｓ’）側の扉中央部にストッパー（２）の取り付け方向が扉（Ｓ）側に位置する様に設け、且つ、観音開き型扉用ストッパーの開閉は、左右移動式切り替えレバー（３）を左方向に移動させ、固定ピン部（３ｃ）を遥動開閉式固定金具（５）の係止溝部（５ｃ）によって固定する事で開扉状態を保持し、且つ、該遥動開閉式固定金具（５）の固定を解除すると捻りコイル伸縮式バネ（ＳＰ１）が伸長し左右移動式切り替えレバー（３）が基の閉扉状態に復帰する事を特徴とする収納庫用自動式扉ストッパーから構成される。
【００１２】
次に、この考案の組立手順と取り付け要領について説明すると、最初に基板（１）の中央左右に設けたガイド板（１ｂ）部にストッパー（２）を嵌挿し、ストッパー（２）に嵌着したガイドピン（２ａ）部が基板（１）の上下中央部に位置する様に若干上方にずらして固定し、次に、基板（１）の右上部に設けた遥動軸取り付け穴（１ｅ）部に遥動開閉式固定金具（５）を嵌着し、復帰用バネ（ＳＰ２）を遥動開閉式固定金具（５）の係止穴部（５ｂ）と基板の右上端部に設けた係止部（１ｄ）にそれぞれ嵌着する。そして、ストッパー（２）のガイドピン（２ａ）部に左右移動式切り替えレバー（３）のガイド溝部を挿入し、左右移動式切り替えレバー（３）が基板（１）の長手方向に対して水平に成る様に取り付ける。次に、捻りコイル伸縮式バネ（ＳＰ１）を基板左上端係止部（１ｃ）と左右移動式切り替えレバー（３）の中央下部の係止部（３ｂ）に固着し、最後にカバー（４）を基板（１）の外周部に合わせながら基板（１）とカバー（４）の取り付け穴（１ａ）（４ａ）を一致させ、ビス（Ｓ１）で収納庫用扉（Ｓ）の下部本体（Ｓ’）側に固定する。
【００１３】
又、使用状況に応じて扉の中央上部に取り付けても構わないが、この場合は、取り付け方向が逆で、ストッパー（２）が下方向になる様にして本体（Ｓ’）側に固着する。
【００１４】
次に、この考案の開閉操作方法について説明すると、図４に示す様に（Ａ）は中立状態時を示すが、実際に使用する時は中立状態で使用する事は無く、（Ｂ）の様に扉を開く時には左右移動式切り替えレバー（３）の右側を左方向に押してストッパー（２）を下方に移動させると遥動開閉式固定金具（５）の係止溝部（５ｃ）が復帰用バネ（ＳＰ２）によって左右移動式切り替えレバー（３）の固定ピン部（３ｃ）に嵌挿されロック状態になるので扉を開く。又、（Ｃ）の様に扉を閉じる時には収納庫用扉（Ｓ）を閉じた後に、遥動開閉式固定金具（５）を下方向に押せば、係止溝部（５ｃ）が固定ピン部（３ｃ）から外れロック状態が解除され、左右移動式切り替えレバー（３）が捻りコイル伸縮式バネ（ＳＰ１）によって押圧され右方向に移動して、ストッパー（２）が上方向に押されて閉扉状態になる。
【実施例２】
【００１５】
その他の事例として、図７に示す様に取り外した時に部品がバラバラに成るのを防止する為に、カバー取り付け用穴（１’ａ）（４’ａ）と収納庫用自動式扉ストッパー取り付け用穴（１’ｂ）を別々に設けても良い。但し、材料費・加工費等、コスト的に若干高く成る。
【産業上の利用可能性】
【００１６】
この考案は、収納庫等、観音開き型扉の中央下部又は上部に取り付けて固定する事で、地震等の振動によって収納庫内部の物品が飛び出るのを防止する為、多くの消費者に寄与する点で産業上の利用可能性を有する。
【図面の簡単な説明】
【００１７】
【図１】この考案の一実施例を示し、（Ａ）（Ｂ）（Ｃ）
【図２】この考案の一実施例を示し、図１（Ａ）のａ−ａ矢視断面図である。
【図３】この考案の一実施例を示し、（Ａ）は図１（Ｂ）のｂ−ｂ矢視断面図で、（Ｂ）は図１（Ｂ）のｃ−ｃ矢視断面図で、（Ｃ）は図１（Ｂ）のｄ−ｄ矢視断面図である。
【図４】この考案の一実施例を示し、収納庫用自動式扉ストッパーの作動原理図で、（Ａ）は中立状態時で、（Ｂ）は開扉状態時で、（Ｃ）は閉扉状態時を示す断面図である
【図５】この考案の使用例を示し、（Ａ）は正面図で、（Ｂ）は図５（Ａ）のａ部拡大詳細図である。
【図６】この考案の使用例を示し、（Ａ）は右側面図で、（Ｂ）は図６（Ａ）のａ部拡大詳細図である。
【図７】その他の実施例を示し、（Ａ）は平面図で、（Ｂ）は正面図で、（Ｃ）は右側面図である。
【符号の説明】
【００１８】
１  基板
１ａ  取り付け用穴
１ｂ  ガイド板
１ｃ  捻りコイル伸縮式バネ係止部
１ｄ  復帰用バネ係止部
１ｅ  遥動軸取り付け穴
１’  基板
１’ａ  取り付け用穴
１’ｂ  取り付け用穴
２  ストッパー
２ａ  ガイドピン
３  左右移動式切り替えレバー
３ａ  ガイド溝
３ｂ  捻りコイル伸縮式バネ係止部
３ｃ  固定ピン部
４  カバー
４ａ  取り付け用穴
４’  カバー
５  遥動開閉式固定金具
５ａ  遥動軸
５ｂ  復帰用バネ係止穴
５ｃ  係止溝部
Ｓ  収納庫用扉
Ｓ’  収納庫本体
Ｓ１  ビス
Ｓ２  ビス
ＳＰ１  捻りコイル伸縮式バネ
ＳＰ２  復帰用バネ
【図１】
0003109213.tif 000003
【図２】
0003109213.tif 000004
【図３】
0003109213.tif 000005
【図４】
0003109213.tif 000006
【図５】
0003109213.tif 000007
【図６】
0003109213.tif 000008
【図７】
0003109213.tif 000009